(57)【特許請求の範囲】
【請求項１】
厨房家具用キャビネットの引出し収納スペースに対して、引出し可能に支持された上面が開放した箱状の引出しに関して、
引出しの前板の上部を跨ぐように取り付けられる取付部材と、
この取付部材の前板の後側の部分に対して、横方向の回転軸の周りに、回転軸から後方に向かってほぼ水平に延び、ロック位置から下方に揺動可能に取り付けられ、バネによりこのロック位置に向かって付勢されるレバーと、
レバーの後端から上方に向かって突出していて、キャビネット内に取り付けられた係合部に係合するロック爪とから構成されている引出しロック機構を備えた厨房家具用キャビネット。
【請求項２】
厨房家具用キャビネットの引出し収納スペースに対して、引出し可能に支持された上面が開放した箱状の引出しに関して、
引出しの前板上部近傍を凹陥して把手が形成され、この前板の上部を跨ぎ且つ把手部分に係合して取り付けられる取付部材と、
この取付部材の前板の後側の部分に対して、横方向の回転軸の周りに、回転軸から後方に向かってほぼ水平に延び、ロック位置から下方に揺動可能に取り付けられ、バネによりこのロック位置に向かって付勢されるレバーと、
レバーの後端から上方に向かって突出していて、キャビネット内に取り付けられた係合部に係合するロック爪とから構成されている引出しロック機構を備えた厨房家具用キャビネット。
【請求項３】
上記取付部材は弾性を有し、引出しの前板上部の断面形状に沿って抱え込み、脱着自在に握持するようにされていることを特徴とする請求項１又は２に記載の引出しロック機構を備えた厨房家具用キャビネット。
【請求項４】
上記レバーの前端付近の上面が、すべり止め加工されていることを特徴とする請求項１又は２に記載の引出しロック機構を備えた厨房家具用キャビネット。
【請求項５】
上記レバーの後端に設けられたロック爪が、前側でほぼ垂直に形成され、後側で斜めに形成されていることを特徴とする請求項１又は２に記載の引出しロック機構を備えた厨房家具用キャビネット。
【請求項６】
最下段の引出しの前板上部に取り付けられることを特徴とする請求項２乃至５に記載の引出しロック機構を備えた厨房家具用キャビネット。
【発明の詳細な説明】
【０００１】
【発明の属する技術分野】
本発明は、システムキッチンや流し台等のキャビネットにおける引出し、特にベースキャビネットの引出しのロック機構に特徴を有する厨房家具用キャビネットに関するものである。
【０００２】
【従来の技術】
従来、所謂システムキッチン等の厨房家具においては、多数の引出しがキャビネットに組み込まれている。
本出願人は、図６に示すような厨房家具用キャビネットを特願平１１−３８０９９として提案している。
即ち、図６に示す厨房家具用キャビネットは、多数の引出しがキャビネットに組み込まれており、従来のように引出しと蹴込とを分離するような構成でなく、特に最下段全面の引出しの前板３に蹴込４を設けた点を特徴としている。
【０００３】
【発明が解決しようとする課題】
このような厨房家具によれば、最下段の引出しは、幼児が引き出して悪戯をしたり、或いは作業者が蹴るなどのショックによって、僅かに引き出されたことに気づかずに、つまずく等の不安要因にもなりかねなかった。
【０００４】
本発明は、以上の点に鑑み、簡単な構造でありながら、引出しの前板に脱着が容易なロック機構を提案し、僅かに引き出されるとしても、最小限の開き以上に開かないようにした引出しロック機構を備えた厨房家具用キャビネットを提供することを目的としている。
【０００５】
【課題を解決するための手段】
上記目的は、本発明によれば、厨房家具用キャビネットの引出し収納スペースに対して、引出し可能に支持された上面が開放した箱状の引出しに関して、引出しの前板の上部を跨ぐように取り付けられる取付部材と、また、引出しの前板上部近傍を凹陥して把手が形成され、この前板の上部を跨ぎ且つ把手部分に係合して取り付けられる取付部材と、この取付部材の前板の後側の部分に対して、横方向の回転軸の周りに、回転軸から後方に向かってほぼ水平に延び、ロック位置から下方に揺動可能に取り付けられ、バネによりこのロック位置に向かって付勢されるレバーと、レバーの後端から上方に向かって突出していて、キャビネット内に取り付けられた係合部に係合するロック爪とから構成されている引出しロック機構を備えた厨房家具用キャビネットにより達成される。
【０００６】
本発明による厨房家具用キャビネットでは、引出しロック機構は好ましくは、上記取付部材は弾性を有し、引出しの前板上部の断面形状に沿って抱え込み、脱着自在に握持するようにされている。
【０００７】
本発明による厨房家具用キャビネットでは、引出しロック機構は好ましくは、上記レバーの前端付近の上面が、すべり止め加工されている。
【０００８】
本発明による厨房家具用キャビネットでの引出しロック機構は、好ましくは、上記レバーの後端に設けられたロック爪が、前側でほぼ垂直に形成され、後側で斜めに形成されている。
【０００９】
本発明による厨房家具用キャビネットでの引出しロック機構は、好ましくは、最下段の引出しの前板上部に取り付けられる。
【００１０】
上記構成によれば、引出しを閉鎖する場合には、引出しがキャビネットの引出し収納スペース内に押し込まれると、レバー後端のロック爪が、キャビネット内に取り付けられた係合部と当接し、好ましくは、ロック爪の後側の斜めの表面が係合部に沿って移動するように、レバーがバネの張力に抗して下方に揺動する。そして、ロック爪が係合部を通過すると、レバーがバネの張力によって上方に揺動して水平なロック位置に復帰する。
ここで、レバーがロック位置にあることにより、好ましくは、ロック爪の前側の垂直な面が上記係合部に対して後側から係合するので、引出しはこのロック位置で停止され、さらに前方には移動しない。さらに、この状態から引出し収納スペースに対して、引出しが押し込まれ収納される。
【００１１】
また、引出しを引き出す場合、先づ把手を手前に引くことによって、引出しは、ロック機構のロック爪がキャビネット内に取り付けられた係合部に係合することにより、ロック位置で停止する。
ここで、使用者が、僅かに手前に移動した引出しの前板のすぐ後に位置するレバーのすべり止め加工された、好ましくはローレット加工された表面を下方に押動することにより、レバーが下方に揺動して、その後端のロック爪が上記係合部から解放され、引出しは引き出されることになる。
【００１２】
このようにして、本発明の実施の形態によるロック機構によれば、ロック爪がキャビネット内に取り付けられた係合部に係合することにより、ロック機構が引出しを確実にロックすることになるので、僅かに引き出されるとしても、最小限の開き以上に開かないようにロックし、特に最下段の引出しの前板上部に引出しロック機構を取り付けた場合には、不用意に引き出しが大きく引き出されてしまうようなことはない。
【００１３】
【発明の実施の形態】
以下、この発明の好適な実施の形態を図１乃至図５を参照しながら、詳細に説明する。
尚、以下に述べる実施の形態は、本発明の好適な具体例であるから、技術的に好ましい種々の限定が付されているが、本発明は、以下の説明において、特に本発明を限定する旨の記載がない限り、これらの態様に限られるものではない。
【００１４】
図１は、本発明による厨房家具用キャビネットにおける引出しロック機構の一実施の形態の構成を示している。
図１において、引出しロック機構１０は、例えばシステムキッチン等の厨房家具におけるキャビネットに組み込まれた引出し１１に対して装着されるものである。
引出し１１は、図６に示すように、上、中、下段の多数の収納スペースに対して引き出し可能に取り付けられている。
引出しロック機構１０は、引出し１１の前板１１ａの上部を跨ぐように取り付けられた、ほぼ逆Ｕ字形の取付部材１２と、取付部材１２に対して揺動可能に取り付けられたレバー１３と、引出し１１が組み込まれるキャビネット３０内即ち側板３１に固定された係合部２０とから構成されている。
厨房家具用キャビネットの引出し１１の前板１１ａは、図６上段及び中段に示すように平板矩形のもの、又下段に示すように上部近傍を凹陥して把手が形成され、前板と蹴込とが一体に構成されされているもの等からなる。
【００１５】
引出し１１の前板１１ａの上方に位置する部分が、把手１１ｃとして形成されており、好ましくはその表面がシボ加工されている。
また、上記取付部材１２は、引出しの前板の後方に位置する部分１２ｂに、横向きの水平な回転軸１４を支持するための、軸受１２ｃを備えている。
尚、上記のように、取付部材１２は引出しの前板の前方に位置する部分１２ａと、引出しの前板の後方に位置する部分１２ｂとによって逆Ｕ字形とされ、弾性を有し、引出し１１の前板１１ａ上部厚さより、狭い幅となるように構成され、前板１１ａの上部１１ｂを跨いで取り付けられた時、脱着自在に挿脱されると共に、弾性復帰力により確実に取り付けられることが好ましい。又図３乃至図５に示すように、前板１１ａの上部１１ｂ近傍を凹陥させて把手１１ｃが形成されている場合には、取付部材１２の引出しの前板の前方に位置する部分１２ａの下端に係止部１２ｄが形成されていて、前板の上部１１ｂを跨いで取り付けられると共に、把手１１ｃに係止部１２ｄが係合し、脱着自在に挿脱されると共に、弾性復帰力により確実に取り付けられることが望ましい。
【００１６】
上記レバー１３は、図に示すようにその前端に設けられた軸受部１３ａが、回転軸１４を介して、取付部材１２の軸受１２ｃに対して回転可能に支持されている。
図示の場合、軸受部１３ａは、レバー１３の本体よりやや下方に配設されており、この軸受部１３ａの配置によってストッパーとなり、レバー１３が、ねじりコイルバネ１５の復元力により、水平なロック位置より上方に回動せず、ほぼ水平なロック位置から下方に揺動し得るようになっている。
さらに、レバー１３は、ねじりコイルバネ１５により、反時計周りに、即ちロック位置に向かって上方に付勢されている。
尚、レバーの前方の上面１３ｂは、すべり止め加工、即ち粗面あるいは不規則な凹凸、好ましくは図示のようにローレット加工されている。
【００１７】
上記レバー１３の後端の上面には、ロック爪１６が一体に形成されている。
ロック爪１６は、レバー１３の後端の上面から上方に向かって突出していると共に、その前端面１６ａがほぼ垂直であり、且つその後側面１６ｂが斜めに、図示の場合には僅かに湾曲した斜面として形成されている。
【００１８】
尚、上記引出し１１は、従来の厨房家具用キャビネットの引出しと同様に、キャビネット内の両側に設けられたスライドレールに対して、引出しの両側に備えられたスライドローラが係合することにより円滑に引き出し可能になっている。
【００１９】
本発明の実施の形態による厨房家具用キャビネットの引出しロック機構１０は、以上のように構成されており、通常は、取付部材１２に対してレバー１３が回転軸１４及びねじりコイルバネ１５により組み付けられた状態で出荷される。
引出し１１への取付の際には、先づ取付部材１２が、引出し１１の前板の上部１１ｂに対して、取付部材１２の弾性に抗して押し入れられることにより、極めて簡単な構造でありながら、前板の上部１１ｂを跨ぐように脱着自在に確実に取り付けられる。
その後、引出し１１を閉じながら、レバー１３及びロック爪１６の位置に合わせて、キャビネット３０内即ち側板３１内側に係合部２０が取り付けられる。
尚、この係合部２０は、例えばＬ字金具として構成されており、ロック爪１６の前端面１６ａと僅かな間隔を置いて、レバー１３に乗った状態で、キャビネット３０内面にて位置合わせし、取付ネジ２１等によって側板３１に対して固定するようになっている。
この場合、係合部２０とロック爪１６の前端面１６ａとの間隔は、指の太さよりやや大きい程度の間隔が適当である。
【００２０】
このようにして、図３に示すように、引出しロック機構１０が引出し１１に取り付けられ、また係合部２０がキャビネット３０内即ち側板３１に取り付けられることにより引出しロック機構１０の取付が完了する。
そして、引出し１１を閉鎖する場合には、引出し１１がキャビネット３０内に押し込まれると、レバー１３後端のロック爪１６が、キャビネット３０内に取り付けられた係合部２０と当接し、さらに引出し１１が押し込まれることにより、ロック爪１６の後側面１６ｂが係合部２０に沿って移動するように、レバー１３がねじりコイルバネ１５の張力に抗して下方に揺動する。そして、ロック爪１６が係合部２０を通過すると、レバー１３がねじりコイルバネ１５の張力によって上方に揺動して水平なロック位置に復帰する。
【００２１】
ここで、レバー１３がロック位置にあることにより、ロック爪１６の垂直な前端面１６ａが上記係合部２０に対して後側から係合するので、引出し１１はこのロック位置から前方には移動しない。この場合、ロック爪１６の前端面１６ａが垂直であるから、引出し１１が引き出される方向に力が加えられたとしても、ロック爪１６には下方に向かう力の成分が加えられないので、レバー１３は揺動せず、ロック爪１６が係合部２０から外れることはない。
そして、この状態からさらに引出し１１が押し込まれると、引出し１１は収納スペースに対して収納される。
【００２２】
また、引出し１１を引き出す場合、先づ、通常の平板矩形の前板１１ａの場合はこれに別体として取り付けられた把手を、又前板の上部１１ｂ近傍を凹陥させて把手１１ｃを形成した場合はこの把手１１ｃを手前に引くことによって、引出しロック機構１０のロック爪１６がキャビネット３０内、即ち側板３１に取り付けられた係合部２０に係合することにより、ロック位置で停止する（図４参照）。
ここで、使用者が、図４に示すように、指挿入可能位置まで僅かに手前に移動し、引出し１１の前板１１ａのすぐ後に位置するレバー１３のすべり止め加工された、好ましくはローレット加工されたレバーの前方の上面１３ｂを、矢印Ａのように下方に押動することにより、一点鎖線で示すようにレバー１３が下方に揺動して、その後端のロック爪１６が上記係合部２０から解放される。そして、さらに引出し１１を手前に引くことにより、図示しないスライドレールに沿って円滑に引き出されることになる。
【００２３】
これに対して、引出し１１が閉鎖位置にある状態にて、何等かの外力が加わった場合には、引出し１１はこのショックよって前方に移動したとしても、引出しロック機構１０のロック爪１６がキャビネット３０内即ち側板３１に取り付けられた係合部２０に係合することにより、ロック位置で停止する。
そして、この状態で、さらに引出し１１に対して何等かの外力が作用しても、ロック爪１６の前端面１６ａが垂直であるから、引出し１１が引き出される方向に力が加えられたとしても、ロック爪１６には下方に向かう力の成分が加えられないので、レバー１３は揺動せず、従って、ロック爪１６が係合部２０から外れることはない。
従って、何等かの外力が加わった際に、引出し１１が不用意に全開してしまうようなことはなく、引出しロック機構１０によって、図４に示すように、僅かに引き出された状態でロックされることになる。
このようにして、本発明の実施の形態によるロック機構１０によれば、ロック爪１６がキャビネット３０内に取り付けられた係合部２０に係合することにより、引出しロック機構が引出し１１を確実にロックすることになるので、僅かに引き出されるとしても、最小限の開き以上に開かないようにロックし、特に最下段の引出しの前板上部に引出しロック機構を取り付けた場合には、不用意に大きく引き出されてしまうようなことはない。
【００２４】
尚、上述した実施の形態においては、キャビネット３０内に取り付けられた係合部２０として、Ｌ字金具を使用した場合について説明したが、これに限らず、任意の形状の金具を使用することも可能であり、さらにはキャビネット３０の枠体等を係合部として利用することも可能である。
また、上述した実施の形態においては、レバー１３をロック位置に付勢するバネとしてねじりコイルバネ１５が使用されているが、これに限らず、任意の種類のバネを使用することが可能である。
【００２５】
【発明の効果】
以上述べたように、本発明によるロック機構を備えた厨房用キャビネットでは、簡単な構造にして脱着自在に取り付けでき、ロック爪がキャビネット内に取り付けられた係合部に係合することにより、ロック機構が引出しを確実にロックすることになるので、僅かに引き出されるとしても、最小限の開き以上に開かないようにロックし、引出しの引き出し時に、ロック機構のレバーを押し込むことによりロックを解除して引き出すことができるので使い勝手が良い。特に厨房家具用キャビネットの最下段の引出しの前板上部に引出しロック機構を取り付けた場合には、不用意に大きく引き出されてしまうようなことはなく、つまずく等の不安要因を除去できるのである。
【図面の簡単な説明】
【図１】本発明による厨房家具用キャビネットの引出しロック機構の一実施の形態の構成を示す斜視図である。
【図２】図１の引出しロック機構の分解斜視図である。
【図３】図１の引出しロック機構を組み込んだ引出しのロック状態及び収納状態を示す要部の斜視図である。
【図４】図１の引出しロック機構を組み込んだ引出しのロック状態を示す要部の斜視図である。
【図５】図１の引出しロック機構を組み込んだ引出しのロック解放状態を示す要部の斜視図である。
【図６】厨房家具用キャビネットの一例を示す斜視図である。
【符号の説明】
１０  引出しロック機構
１１  引出し
１１ａ  前板
１１ｂ  前板の上部
１１ｃ  把手
１２  取付部材
１２ａ  引出しの前板の前方に位置する部分
１２ｂ  引出しの前板の後方に位置する部分
１２ｃ  軸受
１２ｄ  係止部
１３    レバー
１３ａ  軸受部
１３ｂ  レバーの前方の上面
１４  回転軸
１５  ねじりコイルバネ
１６  ロック爪
１６ａ  前端面
１６ｂ  後側面
２０  係合部
２１  取付ネジ
３０  キャビネット
３１  側板
【図１】
0004109801.tif 000002
【図２】
0004109801.tif 000003
【図３】
0004109801.tif 000004
【図４】
0004109801.tif 000005
【図５】
0004109801.tif 000006
【図６】
0004109801.tif 000007